(57)【要約】【課題】ねじ等を用いることなく遊技盤に着脱可能に構成された遊技部品において、がたつき、破損を少なくでき、製品信頼性の高い遊技部品を提供する。【解決手段】部品本体１２の側部に弾性部材３０を設け、この弾性部材３０が上下支持部（被支持孔部３４，３６）と上下支持部から前側に突出する上下係止部３９，４５と上下係止部を互いに連結する中央操作部３１とを備え、前面フランジ１４が中央操作部と対応する位置で前後方向に貫通する操作孔７０を備えた。そして、部品本体１２が遊技盤１０の前側から貫通孔１１に挿入され裏側に突出すると上下係止部が遊技盤１０の後面１０ａの貫通孔１１周りにおける上下縁部１１ｅ，１１ｆに係合する。また、この係合状態において、弾性部材３０の中央操作部３１が操作孔７０を経由して押圧操作されるのに伴い弾性部材３０の上下係止部３９，４５と遊技盤の貫通孔周りにおける上下縁部１１ｅ，１１ｆとの係合が解除される。【選択図】        図４
2004313414.tif 000002
【特許請求の範囲】
【請求項１】
部品本体を遊技盤に形成された貫通孔に遊技盤の前側から挿入して裏側に突出させ、部品本体の前側に設けられた前面フランジを遊技盤の貫通孔周りの前面に接触させて貫通孔を塞ぐことで、遊技盤に取り付けられる遊技部品において、遊技盤の裏側に突出する部品本体の側部に弾性部材を設け、この弾性部材が部品本体に取り付けられる上下支持部と上下支持部から前側に突出する上下係止部と上下係止部を互いに連結する中央操作部とを備え、前面フランジが中央操作部と対応する位置で前後方向に貫通する操作孔を備えるとともに、部品本体が遊技盤の前側から貫通孔に挿入されるのに伴い弾性部材の上下係止部が上下支持部を支点とする弾性下で互いに近づく方向に撓み、部品本体が遊技盤の貫通孔から裏側に突出するのに伴い弾性部材の上下係止部が撓みによる復元弾性で部品本体よりも上下に突出して遊技盤の後面の貫通孔周りにおける上下縁部に係合する一方、この係合状態において、弾性部材の中央操作部が前面フランジの前側から操作孔を経由して押圧操作されるのに伴い弾性部材の上下係止部が上下支持部を支点とする弾性下で互いに近づく方向に撓みつつ上記遊技盤の貫通孔周りにおける上下縁部との係合を解除することを特徴とする遊技部品。
【請求項２】
弾性部材は中央操作部を中心として上下に対称な形状に形成されたことを特徴とする請求項１に記載の遊技部品。
【請求項３】
弾性部材の中央操作部と上下係止部との間が湾曲部に形成されたことを特徴とする請求項１又は請求項２に記載の遊技部品。
【請求項４】
弾性部材の上下係止部と上下支持部との間が直線的なアームに形成されたことを特徴とする請求項１ないし請求項３のいずれかに記載の遊技部品。
【請求項５】
弾性部材の上下支持部が被支持孔部により形成され、部品本体に取り付けられた支持柱が被支持孔部の孔内に貫通されて被支持孔部が回転可能に支持されたことを特徴とする請求項１ないし請求項４のいずれかに記載の遊技部品。
【請求項６】
弾性部材の上下係止部が平面状に形成されたことを特徴とする請求項１ないし請求項５のいずれかに記載の遊技部品。
【請求項７】
弾性部材が取り付けられた着脱装置を設け、この着脱装置が部品本体の両側部に取り付けられ、部品本体が係合部を介して着脱装置で下から支えられる如く着脱装置に取り付けられたことを特徴とする請求項１ないし請求項６のいずれかに記載の遊技部品。
【請求項８】
着脱装置には、弾性部材の中央操作部が押圧操作された場合に弾性部材の過剰な変形を規制する弾性部材変形規制部が設けられたことを特徴とする請求項１ないし請求項７のいずれかに記載の遊技部品。
【発明の詳細な説明】
【０００１】
【発明の属する技術分野】
本発明は、ねじ等を用いることなく着脱可能な遊技部品に関する。
【０００２】
【従来の技術】
部品本体を遊技盤に形成された貫通孔に遊技盤の前側から挿入して裏側に突出させ、部品本体部から外側に突出した前面フランジを遊技盤の貫通孔周りの前面に接触させて貫通孔を塞ぐことで、遊技盤に取り付けられる遊技部品において、遊技盤の裏側に突出する部品本体の上部に弾性係止片を設け、この弾性係止片を介してねじ等を用いることなく遊技盤に着脱可能に構成された遊技部品が知られている（例えば、特許文献１参照）。
【０００３】
【特許文献１】
特開平８−７９９号公報
【０００４】
【発明が解決しようとする課題】
しかし、特許文献１の遊技部品では、上部にのみ弾性係止片が設けられているので、遊技盤に取り付けられた遊技部品に下方向からの力が加わると遊技部品ががたつく可能性がある。また、弾性係止片に応力が集中すると、弾性係止片の折り返し部が破損する可能性がある。従って、製品の信頼性に劣るという課題があった。
本発明は、ねじ等を用いることなく遊技盤に着脱可能に構成された遊技部品において、がたつき、破損を少なくでき、製品信頼性の高い遊技部品を提供することを目的とする。
【０００５】
【課題を解決するための手段】
本発明にあっては、部品本体を遊技盤に形成された貫通孔に遊技盤の前側から挿入して裏側に突出させ、部品本体の前側に設けられた前面フランジを遊技盤の貫通孔周りの前面に接触させて貫通孔を塞ぐことで、遊技盤に取り付けられる遊技部品において、遊技盤の裏側に突出する部品本体の側部に弾性部材を設け、この弾性部材が部品本体に取り付けられる上下支持部と上下支持部から前側に突出する上下係止部と上下係止部を互いに連結する中央操作部とを備え、前面フランジが中央操作部と対応する位置で前後方向に貫通する操作孔を備えるとともに、部品本体が遊技盤の前側から貫通孔に挿入されるのに伴い弾性部材の上下係止部が上下支持部を支点とする弾性下で互いに近づく方向に撓み、部品本体が遊技盤の貫通孔から裏側に突出するのに伴い弾性部材の上下係止部が撓みによる復元弾性で部品本体よりも上下に突出して遊技盤の後面の貫通孔周りにおける上下縁部に係合する一方、この係合状態において、弾性部材の中央操作部が前面フランジの前側から操作孔を経由して押圧操作されるのに伴い弾性部材の上下係止部が上下支持部を支点とする弾性下で互いに近づく方向に撓みつつ上記遊技盤の貫通孔周りにおける上下縁部との係合を解除するものとしたので、部品本体が弾性部材の上下係止部により貫通孔に支持されるため、がたつき、破損が少なく、製品信頼性の高い遊技部品が得られる。
また、弾性部材は中央操作部を中心として上下に対称な形状に形成されたので、貫通孔に対し弾性部材を介して遊技部品を上下から均等に支持した状態に遊技部品を取り付けることができる。
また、弾性部材の中央操作部と上下係止部との間が湾曲部に形成されたので、湾曲部により弾性伸縮がスムーズになることから、上下係止部を貫通孔に挿入する際と貫通孔内でスライドさせる際と上下係止部を遊技盤の後面の貫通孔周りにおける上下縁部に係止させる際の動作がスムーズになり、弾性部材の動作がスムーズで着脱動作を確実にできる遊技部品が得られる。
また、弾性部材の上下係止部と上下支持部との間が直線的なアームに形成されたので、アームの剛性が高くなり、貫通孔の上下縁部に上下係止部が係止したときに剛性の高いアームが突っ張ることにより遊技部品が貫通孔に保持されるので、遊技部品が取り付けられた後のがたつきが少なくなる。
また、弾性部材の上下支持部が被支持孔部により形成され、部品本体に取り付けられた支持柱が被支持孔部の孔内に貫通されて被支持孔部が回転可能に支持されたので、弾性部材の動きに伴って被支持孔部がスムーズに回転するので、弾性部材の動きをスムーズにでき、着脱動作を確実にできる遊技部品が得られる。
また、弾性部材の上下係止部が平面状に形成されたので、上下係止部が貫通孔の上下縁部に係止するときや上下縁部からはずれるときにスムーズに動作するので、着脱動作を確実にできる遊技部品が得られる。
また、弾性部材が取り付けられた着脱装置を設け、この着脱装置が部品本体の両側部に取り付けられ、部品本体が係合部を介して着脱装置で下から支えられる如く着脱装置に取り付けられたので、弾性部材の上下係止部を介して貫通孔の上下縁部に係止保持される着脱装置で部品本体を下から支持でき、遊技球の圧力を上方向から受ける遊技部品が上からの圧力で着脱装置から離脱することのない効率的な支持構造が得られる。
また、着脱装置には、弾性部材の中央操作部が押圧操作された場合に弾性部材の過剰な変形を規制する弾性部材変形規制部が設けられたので、弾性部材の破損を防止できる。
【０００６】
【発明の実施の形態】
図１は実施形態の遊技部品の分解斜視図、図２は弾性部材を備えた着脱装置と部品本体との関係を示す図、図３は部品本体と着脱装置との取付係合部の断面図、図４は遊技盤に対する遊技部品の着脱の際における弾性部材の作用を説明する図、図５は遊技部品が取り付けられた遊技盤を備えたパチンコ機の正面図である。
パチンコ機１００の遊技盤１０に取り付けられる遊技部品としては、図５に示すように、大入賞装置（変動入賞装置）１、始動入賞装置２、普通入賞装置３、センター飾り４、サイドランプ装置５、ゲート部品６、風車部品７、アウト口８等があるが、ここでは、遊技部品として大入賞装置１を例にして説明する。
大入賞装置１は、遊技盤１０に形成された貫通孔１１に遊技盤１０の前側から挿入されて遊技盤１０の裏側に突出する部品本体１２と、部品本体１２の前側に設けられ遊技盤１０の貫通孔１１周りの前面１３に接触して貫通孔１１を塞ぐ前面フランジ１４と、部品本体１２の両側部の側壁１５，１５に取り付けられた着脱装置２０とで構成される。大入賞装置１は、前面フランジ１４の中央に形成された入賞口１６を開閉する扉１７を有し、特別の遊技状態になった場合に、ソレノイド１８の駆動で扉１７が頻繁に開閉変動し、これにより、入賞口１６を介して部品本体１２に球が取込まれて入賞となる。また、前面フランジ１４の前面には中央ランプ飾り１９ａ，左右ランプ飾り１９ｂ，１９ｂが設けられている。
【０００７】
着脱装置２０は、上下方向に長い長方形形状の弾性部材取付ベース２１と弾性部材３０と弾性部材取付ベース２１に対応する長方形形状の蓋２２とから成る。
弾性部材３０は、中央操作部３１を中心として上下対称な形状に形成された板材より成る。弾性部材３０の上部分は、中央操作部３１の押圧面３２の上端３３より上後方に直線状に傾斜して延長した後に湾曲されて上前方に傾斜して延長しさらに折曲されて上後方に直線状に延長しさらに折曲されて下後方に直線状に延長する板材より成り、上終端部に被支持孔部３４が設けられている。弾性部材３０の下部分は、中央操作部３１を中心として上部分と上下対称な形状に形成されている。すなわち、弾性部材３０の下部分は、中央操作部３１の押圧面３２の下端３５より下後方に直線状に傾斜して延長した後に湾曲されて下前方に傾斜して延長しさらに折曲されて下後方に直線状に延長しさらに折曲されて上後方に直線状に延長する板材より成り、下終端部に被支持孔部３６が設けられている。言い換えれば、弾性部材３０は板状の押圧面３２を備えた中央操作部３１と、この押圧面３２の上端３３より上後方に傾斜して延長した後に上前方に湾曲する板状の上湾曲部３７と、上湾曲部３７の終端３８より上後方に延長する平面板より形成された上係止部３９と、上係止部３９の終端（即ち、弾性部材３０の上端）４０より下後方に延長する平面板より形成されたアーム４１と、アーム４１の終端４２に形成された被支持孔部３４と、押圧面３２の下端３５より下後方に傾斜して延長した後に下前方に湾曲する板状の下湾曲部４３と、上湾曲部３７の終端４４より下後方に延長する平面板より形成された下係止部４５と、下係止部４５の終端（即ち、弾性部材３０の下端）４６より上後方に延長する平面板より形成されたアーム４７と、アーム４７の終端４８に形成された被支持孔部３６とを備え、また、押圧面３２より延長して弾性部材取付ベース２１と対向する対向面４９には押圧操作部スライド棒５０が形成されている。そして、弾性部材取付ベース２１の内面２３には、弾性部材３０の上下支持部としての上下被支持孔部３４，３６の孔内に挿通されて弾性部材３０を支持する支持柱２４，２５と、蓋２２を弾性部材取付ベース２１に取り付ける止めねじ２６が螺着される取付支柱２７，２７と、４隅より蓋２２の方向に突出して蓋２２が取り付けられたときに着脱装置２０の前上下面に開口５５，５５を形成する柱２８と、弾性部材３０の後方に位置する弾性部材変形規制部２９とが形成されている。また、弾性部材取付ベース２１の上下中央かつ前方寄りには押圧操作部スライド棒５０が貫通する横長ガイド孔５１が形成されている。
【０００８】
しかして、弾性部材３０の上下被支持孔部３４，３６の孔内に弾性部材取付ベース２１の支持柱２４，２５を貫通させるとともに弾性部材３０の押圧操作部スライド棒５０を横長ガイド孔５１に挿入した後に支持柱２４，２５を蓋２２の支持孔５２，５３に挿入し、蓋２２の貫通孔５４，５４を介して取付支柱２７，２７に止めねじ２６，２６を締結することで弾性部材３０が組付けられた着脱装置２０が構成される。着脱装置２０が構成された状態において着脱装置２０の上下面に形成される開口５５，５５を介して弾性部材３０の上下係止部３９，４５が上下に突出し、着脱装置２０の前面に形成される開口５６を介して弾性部材３０の中央操作部３１の押圧面３２が前方に突出した状態となっている。
【０００９】
部品本体１２の両側部の側壁１５，１５とこの側壁１５，１５に対向する各着脱装置２０の蓋２２とには互いに係合する係合部材が形成されている。蓋２２に設けられた係合部材は、上部と後部とに凹凸部６０が形成された上下に延長する長方形状の係合板６１により形成され、側壁１５には、係合板６１の上部および後部に形成された凹凸部６０に対応するように凸凹部６２が形成された係合部６３（すなわち、Ｌの字を１８０度回転させた形状の係合部）が設けられている。側壁１５の係合部６３の後部の凹部下端には蓋２２の係合板６１の下端６４に係止する係止凸部６５が形成されている。
以上により、図２に示すように、着脱装置２０の係合板６１を側壁１５の下方向から係合部６３に係合させていき、係合板６１の下端６４を係止凸部６５に係止させることで、側壁１５に着脱装置２０が取り付けられる。この態様によれば、後述するように弾性部材３０の上下係止部３９，４５を介して遊技盤１０の貫通孔１１周りの後側の水平な上下縁部１１ａ，１１ｂに係止保持される着脱装置２０の係合板６１で図３に示すように部品本体１２側の係合部６３を下から支持する形態になり、この形態において、遊技球の圧力を上方向から受ける大入賞装置１が着脱装置２０より離脱することのない効率的な支持構造が得られる。また、脱落防止のための係止凸部６５を備えるので、部品本体１２に下から力が加わっても部品本体１２が着脱装置２０から脱落するようなことが無くなる。また、部品本体１２に着脱装置２０が取り付けられた状態において、前面フランジ１４に形成された操作孔７０に弾性部材３０の中央操作部３１の押圧面３２が入り込み、これにより、前面フランジ１４の前側から操作孔７０を介して弾性部材３０の押圧面３２を操作できる。
【００１０】
次に着脱装置２０が組付けられた大入賞装置１を着脱装置２０を介して遊技盤１０に形成された横長長方形状の貫通孔１１に着脱する態様を図４に基づいて説明する。
まず、図４（ａ）の状態から図４（ｂ）のように着脱装置２０を取り付けた大入賞装置１を貫通孔１１内に挿入していくと、弾性部材３０のアーム４１，４７が貫通孔１１の前側の上下縁部１１ａ，１１ｂをスライドした後に弾性部材３０の上下端（終端４０，４６）が貫通孔１１内の上下内壁１１ｃ，１１ｄの上に移動して孔内をスライドする。そして、図４（ｃ）に示すように、傾斜平面状の上下係止部３９，４５が遊技盤１０の後面１０ａにおける貫通孔１１周りの水平な上下縁部１１ｅ，１１ｆに係止してアーム４１，４７が突っ張るので、大入賞装置１が弾性部材３０を介して貫通孔１１に保持された状態になる。これにより、大入賞装置１が遊技盤１０の貫通孔１１に取り付けられる。すなわち、大入賞装置１の部品本体１２が遊技盤１０の前側から貫通孔１１に挿入されるのに伴い弾性部材３０の上下係止部３９，４５が上下支持部としての被支持孔部３４，３６を支点とする弾性下で互いに近づく方向に撓み、部品本体１２が遊技盤１０の貫通孔１１から裏側に突出するのに伴い弾性部材３０の上下係止部３９，４５が撓みによる復元弾性で部品本体１２よりも上下に突出して遊技盤１０の後面１０ａにおける貫通孔１１周りの水平な上下縁部１１ｅ，１１ｆに係止する。なお、７１は遊技盤１０に対向する透視性パネルであり、遊技盤１０と透視性パネル７１とで形成される空間で遊技領域が形成される。大入賞装置１を貫通孔１１から取外すときには、図４（ｄ）に示すように、前面フランジ１４に形成された操作孔７０を介して弾性部材３０の中央操作部３１の押圧面３２を矢印のように指や棒などで押圧すると弾性部材３０が中央側にたわみ、上下係止部３９，４５が貫通孔１１の上下縁部１１ｅ，１１ｆよりはずれて上下係止部３９，４５が貫通孔１１内に入り込むので、大入賞装置１を貫通孔１１からはずすことができる。すなわち、弾性部材３０の中央操作部３１の押圧面３２が前面フランジ１４の前側から操作孔７０を経由して押圧操作されるのに伴い弾性部材３０の上下係止部３９，４５が被支持孔部３４，３６を支点とする弾性下で互いに近づく方向に撓みつつ遊技盤１０の後面１０ａの貫通孔１１周りにおける上下縁部１１ｅ，１１ｆとの係合が解除されるので大入賞装置１を貫通孔１１からはずすことができる。
実施形態によれば、上下に支持部としての被支持孔部３４，３６を有する弾性部材３０を用いたので、上下から大入賞装置１を保持できて遊技盤１０の貫通孔１１にがたつきなく取り付けることができる。即ち、ねじ等を用いることなく遊技盤１０に着脱可能に構成された大入賞装置１（遊技部品）において、がたつき、破損を少なくでき、製品信頼性の高い大入賞装置１が得られる。
また、弾性部材３０は上下部分が上下対称に形成されているので、大入賞装置１を上下から均等に支持した状態に取り付けることができる。
【００１１】
また、図４（ａ）に示すように、遊技盤１０の貫通孔１１に挿入する前において弾性部材３０を横から見ると、上下湾曲部３７，４３はそれぞれ半円弧状の湾曲部分を有し、上下支持部としての上下被支持孔部３４，３６は半円弧の底３７ｅ，４３ｅより上下の位置に設けられ、アーム４１，４７は直線的なアームに形成されてかつ短く設定されている。このためアーム４１，４７の剛性が高くなり、図４（ｃ）のように貫通孔１１周りの水平な上下縁部１１ｅ，１１ｆに弾性部材３０の上下係止部３９，４５が係止したときに剛性の高いアーム４１，４７が突っ張ることにより大入賞装置１が貫通孔１１に保持されるので、取付後に大入賞装置１ががたつくことがなくなる。また、ランプ飾り１９ａ，１９ｂ等に球が衝突して力が加わるとその力が上下被支持孔部３４，３６に伝わり、かつ、アーム４１，４７の剛性が高いことから、当該力が上下係止部３９，４５を回転中心とした回転力に変換されるが、この回転力が働いても遊技盤１０が邪魔になって前面フランジ１４は回転しないから、大入賞装置１が脱落することも無くなる。
また、弾性部材３０の中央操作部３１と上下係止部３９，４５との間が上下湾曲部３７，４３に形成されているので、上下湾曲部３７，４３により弾性伸縮がスムーズになることから、上下係止部３９，４５を貫通孔１１に挿入する際と貫通孔１１内でスライドさせる際と上下係止部３９，４５を遊技盤１０の後面１０ａにおける貫通孔１１周りの水平な上下縁部１１ｅ，１１ｆに係止させる際の動作がスムーズになり、弾性部材３０の動作がスムーズになるので、大入賞装置１の着脱動作を確実にできるようになる。
また、弾性部材３０の上下支持部が上下被支持孔部３４，３６により形成され、支持柱２４，２５が被支持孔部３４，３６の孔内に貫通されて被支持孔部３４，３６が回転可能に支持されたので、弾性部材３０の動きに伴って被支持孔部３４，３６がスムーズに回転するので、弾性部材３０の動きをスムーズにでき、着脱動作を確実にできる。
また、弾性部材３０の上下係止部３９，４５が平面状に形成されたので、上下係止部３９，４５が貫通孔１１の上下縁部１１ｅ，１１ｆに係止するときや上下縁部１１ｅ，１１ｆからはずれるときにスムーズに動作するので、着脱動作を確実にできる。
また、図４（ｄ）の取外し時において、弾性部材取付ベース２１の後方に設けられた弾性部材変形規制部２９により弾性部材３０の後方への過度な変形移動が規制され、これによって弾性部材３０の過剰な変形が抑止され、弾性部材３０の破損を防止できる。
また、横長ガイド孔５１を介してスライド棒５０がガイドされることで中央操作部３１が前後に直線的に移動可能なので、上下湾曲部３７，４３に均等に力が加わるため、操作信頼性の高いものとなる。
【００１２】
尚、上記では、着脱装置２０を構成したが、側壁１５に横長ガイド孔５１と支持柱２４，２５を設けて弾性部材３０を側壁１５に直接取り付けるようにしてもよい。
【図面の簡単な説明】
【図１】本発明の実施形態による遊技部品の分解斜視図。
【図２】弾性部材を備えた着脱装置と部品本体との関係を示す図。
【図３】部品本体と着脱装置との取付係合部の断面図。
【図４】遊技盤に対する遊技部品の着脱の際における弾性部材の作用を説明する図。
【図５】遊技部品が取り付けられた遊技盤を備えたパチンコ機の正面図。
【符号の説明】
１  大入賞装置（遊技部品）、１０  遊技盤、１１  貫通孔、
１１ｅ，１１ｆ  上下縁部、１２  部品本体、１４  前面フランジ、１５  側壁、２０  着脱装置、２４，２５  支持柱、２９  弾性部材変形規制部、
３０  弾性部材、３１  中央操作部、
３４，３６  上下被支持孔部（上下支持部）、
３７，４３  上下湾曲部（湾曲部）、４１，４７  上下アーム（アーム）。
【図１】
2004313414.tif 000003
【図２】
2004313414.tif 000004
【図３】
2004313414.tif 000005
【図４】
2004313414.tif 000006
【図５】
2004313414.tif 000007